(57)【特許請求の範囲】
【請求項１】
架台上に支持されたスプールに紙を巻き取るに際し、該スプール上の巻取ロールに当接して紙をニップする支持ドラムと、巻替え時に前記ニップ部より上流側で紙を切断する切断手段を備えたウェブ巻取装置において、前記巻替え時に、前記巻取ロールの表面に向けて液体を噴霧する手段を設けたことを特徴とするウェブ巻取装置。
【請求項２】
前記噴霧手段が、巻取ロールの幅方向に設けられ、かつ液体が供給されるパイプと、該パイプに間隔を置いて設けられた複数個のノズルとから構成されていることを特徴とする請求項１に記載のウェブ巻取装置。
【請求項３】
架台上に支持されたスプールに紙を巻き取るに際し、該スプール上の巻取ロールに当接して紙をニップする支持ドラムと、巻替え時に前記ニップ部より上流側で紙を切断する切断手段を備えたウェブ巻取装置において、前記巻替え時に、前記支持ドラムから離れる前記巻取ロールの表面を押える押え部材を設けたことを特徴とするウェブ巻取装置。
【請求項４】
前記押え部材が、設置床面から出没するように構成された押え板またはロールであることを特徴とする請求項３に記載のウェブ巻取装置。
【請求項５】
前記押え部材が、設置床面上を往復動するように構成された押えロールであることを特徴とする請求項３に記載のウェブ巻取装置。
【請求項６】
架台上に支持されたスプールに紙を巻き取るに際し、該スプール上の巻取ロールに当接して紙をニップする支持ドラムと、巻替え時に前記ニップ部より上流側で紙を切断する切断手段を備えたウェブ巻取装置において、前記巻替え時に、前記巻取ロールと前記支持ドラムとが離れる際、前記スプールにブレーキを掛けて回転が停止するまで押え部材により前記巻取ロールを押えるように構成したことを特徴とするウェブ巻取装置。
【請求項７】
架台上に支持されたスプールに紙を巻き取るに際し、該スプール上の巻取ロールに当接して紙をニップする支持ドラムと、巻替え時に前記ニップ部より上流側で紙を切断する切断手段を備えたウェブ巻取装置において、前記巻替え時に、前記巻取ロールの表面に向けて液体を噴霧する手段を設けたことを特徴とする請求項３から６のいずれか１項に記載のウェブ巻取装置。
【請求項８】
巻替え時に、巻取ロールと前記巻取ロールに当接して紙をニップする支持ドラムとを離した後前記ニップ部より上流側で前記巻取ロールに巻き取られる紙を切断する第１の工程を有するウェブ巻取装置のウェブ巻取方法であって、第１の工程の直前から前記巻取ロールの表面に向けて液体を噴霧する第２の工程を有することを特徴とするウェブ巻取方法。
【請求項９】
巻替え時に、巻取ロールと前記巻取ロールに当接して紙をニップする支持ドラムとを離した後前記ニップ部より上流側で前記巻取ロールに巻き取られる紙を切断する第１の工程を有するウェブ巻取装置のウェブ巻取方法であって、第１の工程の直前から前記巻取ロールの表面に向けて液体を噴霧する第２の工程および該巻取ロールの表面を押える第３の工程を有することを特徴とするウェブ巻取方法。
【発明の詳細な説明】
【０００１】
【発明の属する技術分野】
本発明は、製紙機械に使用されるウェブ巻取装置に関する。
【０００２】
【従来の技術】
製紙機械に使用されるウェブ巻取装置（ウェブリール装置）には種々の形式のものがあるが、その一例の概要を図９および図１０に従って説明する。
この巻取装置の両側には、図９に示す如く、フレーム（架台）１が配設されている。そして、フレーム１には紙を巻き取る際に芯となるスプール２が支持されており、このスプール２の上に紙３が巻取ロール４として巻き取られていく（以後、この位置を巻取位置Ｐ１とする）。巻取ロール４に関連して、支持ドラム５が配設され、該支持ドラム５の両端は軸受７によって枠体６に支持されている。この枠体６は、図示しないガイド装置で垂直方向へ摺動可能に案内され、油圧シリンダ８により上下に移動するようになっている。巻取中、支持ドラム５は、油圧シリンダ８の作用によりスプール２上の巻取ロール４にニップ点Ｎ１で押し付けられ、紙３を固くかつ均一な巻き状態とする機能を有している。このニップ圧は、良好な巻き状態を得るために非常に重要な要因であり、油圧シリンダ８に供給される油圧を制御することにより所定の圧力にコントロールされる。なお、１５は紙３を支持ドラム５へ案内するガイドロールである。
【０００３】
上記フレーム１の側面には、これと平行してレール９が設けられており、レール９上にはスプール搬送具１０ａ，１０ｂが摺動可能に取付けられている。このため、スプール搬送具１０ａ，１０ｂは、それぞれねじ軸１１ａ，１１ｂを介して駆動装置１２ａ，１２ｂに連結され、該駆動装置１２ａ，１２ｂによってレール９上を移動できるように構成されている。なお、ねじ軸１１ａ，１１ｂおよび駆動装置１２ａ，１２ｂは、それぞれ平行して２つ設けられている。また、図９において、スプール搬送具１０ａは巻取中のスプール２に配置され、スプール搬送具１０ｂは次に巻取を行うべく待機位置Ｐ２にある待機中の空スプール１３に移動配置されている。
【０００４】
このような巻取装置においては、巻取ロール４の巻径が所定の大きさになると、新しい空スプール１３に巻替え（以下“枠替え”という）る必要があるが、それは次のように行われる。図１０はその状況を示している。
枠替えの直前、支持ドラム５は空スプール１３に接触するまで上昇し、空スプール１３に適度のニップ圧で押し付けられる。そして、ニップ点Ｎ２の上流側に設けられた紙切り装置１６により、紙３に切れ目を入れる。その切れ目がニップ点Ｎ２を通過した後、グースネック１４から吹き出される空気により、紙３は空スプール１３側に巻き取られていく。このグースネック１４は空気吹き出しノズルであり、通常は鎖線の位置で待機しているが、枠替えの時にのみ実線の如く、ニップ部Ｎ２の近くに移動し、ニップ点Ｎ２に向けて空気を噴射し、紙切り装置１６で切れ目が入った紙３を空スプール１３側に巻き付かせるものである。
【０００５】
すなわち、枠替え前にグースネック１４から空気を１０秒程度噴出させ、その数秒後に紙切り装置１６の紙切りナイフを紙３の流れ方向に対して直角に（１８０゜）回転させ、紙３に切れ目を入れる（原紙および広幅の紙の場合は３箇所で切断するため、グースネック１４は３本必要）。次いで、切れ目の入った紙３が支持ドラム５上に進み、グースネック１４から噴出された空気が切れ目に入ると、切れ目に入った空気で紙３は左右に破れて広がり、完全に切断される。完全に切れた紙３の端部は、グースネック１４から噴出した空気と空スプール１３の静電気によって、該空スプール１３に巻き上げられることになる。
【０００６】
新たに巻き取りが始まった空スプール１３は、スプール搬送具１０ｂによって徐々に左方に動かされ、最終的には図９の巻取位置Ｐ１に運ばれる。一方、旧巻取ロール４は図１０の鎖線で示す取外し位置Ｐ４まで運ばれ、ここでクレーン等により機外へ運ばれる。また、空いたスプール搬送具１０ａは、図９に示す空スプールの待機位置Ｐ２に戻され、ここで新たな空スプールが供給されて次の枠替えに備える。
【０００７】
【発明が解決しようとする課題】
ところが、上述した従来の巻取装置は次の問題点を有している。すなわち、所定の径に達した旧巻取ロール４は、枠替え直前までは既述の如く、支持ドラム５により、適宜のニップ圧が与えられている。しかし、枠替えのため、支持ドラム５を上昇させ、空スプール１３と接触させて、これに適度のニップ圧を与えながら、更に旧巻取ロール４とのニップ圧も適宜に保つよう巻取ロール４の水平移動と油圧シリンダ８の圧力とを同時に制御することは極めて困難であることから、実際は枠替えの直前で、旧巻取ロール４を支持ドラム５からわずかに離れた退避位置Ｐ３（図１０の実線で示す位置）に移動させるようにしている。したがって、その時には巻取ロール４と支持ドラム５との間に、ニップ圧は掛からないことになる。
【０００８】
枠替え直前に、支持ドラム５から離された後は、枠替え完了までの間の短時間とはいえ、紙３は高速で走っているから、巻取ロール４にはニップ圧無しで相当量の紙３が巻かれることになる。
ニップ圧無しで紙３を巻くと、紙と紙との間に空気が巻き込まれて浮いたように緩く巻かれるため、滑り易くなって紙３が左右に蛇行し、巻取ロール４の端面が不揃いになる。また、空気を含んで巻かれるから、枠替え後、巻取ロール４が膨らんだようになる等の不具合が発生する。この結果、ロールの巻取品質が低下するばかりでなく、膨らんだ巻取ロール４の表面がグースネック１４等に当たり易くなり、巻取ロール４の表面を傷つけて不良紙としたり、引きちぎられて飛び散った紙片が新しい巻取ロールに巻き込まれたりする不具合が発生する。
【０００９】
本発明はこのような実状に鑑みてなされたものであって、その目的は、前記不具合を解消しようとするものであり、枠替え時に、支持ドラムからのニップ圧を掛けられないときでも、端面が不揃いになることはなく、固く均一に巻かれた高品質の巻取ロールが得られるウェブ巻取装置を提供することにある。
【００１０】
【課題を解決するための手段】
上記従来技術の有する課題を解決するために、本発明においては、架台上に支持されたスプールに紙を巻き取るに際し、該スプール上の巻取ロールに当接して紙をニップする支持ドラムと、巻替え時に前記ニップ部より上流側で紙を切断する切断手段を備えたウェブ巻取装置において、前記巻替え時に、前記巻取ロールの表面に向けて液体を噴霧する手段を設けている。
また、本発明においては、架台上に支持されたスプールに紙を巻き取るに際し、該スプール上の巻取ロールに当接して紙をニップする支持ドラムと、巻替え時に前記ニップ部より上流側で紙を切断する切断手段を備えたウェブ巻取装置において、前記巻替え時に、前記支持ドラムから離れる前記巻取ロールの表面を押える押え部材を設けている。
さらに、本発明においては、架台上に支持されたスプールに紙を巻き取るに際し、該スプール上の巻取ロールに当接して紙をニップする支持ドラムと、巻替え時に前記ニップ部より上流側で紙を切断する切断手段を備えたウェブ巻取装置において、前記巻替え時に、前記巻取ロールと前記支持ドラムとが離れる際、前記スプールにブレーキを掛けて回転が停止するまで押え部材により前記巻取ロールを押えるように構成している。
また、本発明においては、巻替え時に、巻取ロールと前記巻取ロールに当接して紙をニップする支持ドラムとを離した後前記ニップ部より上流側で前記巻取ロールに巻き取られる紙を切断する第１の工程を有するウェブ巻取装置のウェブ巻取方法であって、第１の工程の直前から前記巻取ロールの表面に向けて液体を噴霧する第２の工程を有している。
そして、本発明においては、巻替え時に、巻取ロールと前記巻取ロールに当接して紙をニップする支持ドラムとを離した後前記ニップ部より上流側で前記巻取ロールに巻き取られる紙を切断する第１の工程を有するウェブ巻取装置のウェブ巻取方法であって、第１の工程の直前から前記巻取ロールの表面に向けて液体を噴霧する第２の工程および該巻取ロールの表面を押える第３の工程を有している。
【００１１】
【発明の実施の形態】
以下、本発明を図示の実施の形態に基づいて詳細に説明する。ここで、図１は本発明の実施の形態に係るウェブ巻取装置の構成図、図２は図１のＡ矢視図である。なお、従来例と同一の部分は同じ符号を付し、また巻取装置自体の構成および作用は従来技術の項で説明したものと同様である。
【００１２】
第１実施形態に係るウェブ巻取装置は、フレーム１上に支持されたスプール２に紙３を巻き取るに際し、該スプール２上の巻取ロール４に当接して紙３をニップする支持ドラム５と、枠替え時にニップ部Ｎより上流側で紙３に切れ目を入れる図示省略の紙切り装置１６とを備えており、フレーム１は床面３０上に設置されている。
そして、巻取ロール４の下方には、噴霧手段を構成するパイプ２０および複数個のノズル２１が設けられている。パイプ２０は、巻取ロール４の幅方向ほぼ全幅に亘って設けられ、ノズル２１は、当該パイプ２０に適宜の間隔を置いて長手方向へ沿って設けられている。
【００１３】
上記パイプ２０の一端は、開閉弁２２および管路２３を介して水供給源２４に接続されている。したがって、パイプ２０には、水供給源２４より開閉弁２２および管路２３を介して水（液体）Ｗが供給され、各ノズル２１から霧状の水Ｗとなって巻取ロール４の表面に吹き付けられることになる。すなわち、ウェブ巻取装置は、枠替え時に、巻取ロール４とこれに巻き取られる紙３との間に霧状の水Ｗを噴霧するように構成されている。このため、各ノズル２１の噴出口は、一部が重複する一定の領域に霧状の水Ｗを噴霧すべく、巻取ロール４の表面に向けてそれぞれ配置されている。
【００１４】
本実施形態の巻取装置においては、枠替えが始まり、巻取ロール４が支持ドラム５から離れる直前に、開閉弁２２を開いてパイプ２０の各ノズル２１から巻取ロール４の表面に向けて霧状の水Ｗを吹きかける。すると、紙３の表面は水分により紙間に付着力が生じるため、仮に紙層間に空気を含んでいても、従来のように紙３が横方向に滑ることはなくなり、枠替え時も巻取ロール４の端面が不揃いになるということは起こらない。
【００１５】
また、図１は本発明のウェブ巻取装置の第２実施形態を示している。第２実施形態に係るウェブ巻取装置では、設置する床面３０の適宜の箇所にピット（凹部）３１が設けられている。ピット３１には、ヒンジ３２によって押え板３３が基端部を中心にして回転可能に設けられており、この押え板３３は、枠替え時に、支持ドラム５から離れる巻取ロール４の表面を押える押え部材として形成されている。
【００１６】
上記押え板３３は、床面３０から出没するように構成されている。このため、ピット３１の上端縁部には、押え板３３を収納する段部３１ａが設けられ、該段部３１ａは収納状態にある押え板３３が床面３０と面一となるように形成されている。また、ピット３１の内部には上下動可能なピストンロッド３４ａを有するシリンダ３４が配設され、このピストンロッド３４ａの先端部は取付ブラケット３５および枢支ピン３６を介して押え板３３の中央下面に連結されており、押え板３３はシリンダ３４の作用により回転されるようになっている。その他の構成は、上記第１実施形態と同様である。
【００１７】
本実施形態の巻取装置においては、枠替えが始まり、巻取ロール４が支持ドラム５から離れる直前に、シリンダ３４を作動させてピストンロッド３４ａで押え板３３を上昇させることにより、その先端部側を巻取ロール４の表面に押し当てる。これにより、支持ドラム５によるニップ圧と同様のニップ圧を巻取ロール４に掛けることが可能になり、紙間に巻き込まれた空気を絞り出して固く均一な巻き取りを続けることができる。しかも、巻取ロール４が実線の巻取位置Ｐ１から鎖線の退避位置Ｐ３に移動する間も、シリンダ３４により押え板３３が巻取ロール４を押え続けることになる。
【００１８】
図３（ａ），（ｂ）は本発明のウェブ巻取装置の第３実施形態を示している。第３実施形態に係るウェブ巻取装置では、設置する床面３０の適宜の箇所にピット３１が設けられている。ピット３１には、ヒンジ３２によってアーム５０の一端部が回転可能に設けられており、該アーム５０の他端部にはロール５１が回転可能に支持されている。このロール５１は、枠替え時に、支持ドラム５から離れる巻取ロール４の表面を押える押え部材として形成されている。
上記ロール５１は、床面３０から出没するように構成されている。このため、ピット３１の上端縁部には、ロール５１を収納する段部３１ａが設けられ、該段部３１ａは収納状態にあるロール５１が床面３０から突出しないように形成されている。また、ピット３１の内部には上下動可能なピストンロッド３４ａを有するシリンダ３４が配設され、このピストンロッド３４ａの先端部は取付ブラケット３５および枢支ピン３６を介してアーム５０の中央下面に連結されており、アーム５０はシリンダ３４の作用により回転されるようになっている。その他の構成および作用は、上記第２実施形態と同様である。
【００１９】
図４および図５は本発明のウェブ巻取装置の第４実施形態を示している。第４実施形態に係るウェブ巻取装置では、床面３０に左右一対のレール４０が敷かれている。これらレール４０上には車輪４１を有する台枠４２が往復動可能に載っており、該台枠４２には押えロール４３が固定あるいは回転自在に支持された状態で架設されている。
また、車輪４１の車軸の１つにはタイミングプーリ４４が取付けられており、台枠４２はこれに配設されたタイミングプーリ４５およびパウダクラッチ（電磁粒子式クラッチ）４６を介してモータ４７により駆動されるようになっている。すなわち、押えロール４３は、床面３０上を往復動するように構成されている。なお、４８はタイミングプーリ４４，４５間で動力を伝えるタイミングベルトである。その他の構成は、上記第１実施形態と同様である。
【００２０】
本実施形態の巻取装置においては、枠替え時、巻取ロール４と支持ドラム５とが離れる直前に、モータ４７を駆動させて台枠４２を移動し、押えロール４３を巻取ロール４に押し付ける。この時、パウダクラッチ４６は設定された電圧に応じたトルク以上になるとスリップするようになっているので、モータ４７が駆動し続けても台枠４２は一定の押付力を保持したままその位置に停止している。しかも、台枠４２は、巻取ロール４が退避位置Ｐ３、更に取外し位置Ｐ４に移動するときも、スプール搬送具１０ａの搬送力に押されて、押付力を保持したまま巻取ロール４と共に移動する。
【００２１】
従って、本実施形態の巻取装置では、枠替え時、巻取ロール４と支持ロール５とが離れても、押えロール４３によって巻取ロール４に対しニップ圧を掛けることができ、固く均一な巻き取りを最後まで行うことができる。
更に、退避位置Ｐ３から取外し位置Ｐ４に移動する間もニップ圧をかけ続けることができるから、巻取ロール４の移動中に紙端が巻ほぐれることもない。
【００２２】
図６〜図８は本発明のウェブ巻取装置の第５実施形態を示している。第５実施形態に係るウェブ巻取装置では、フレーム１の側方に支持台６０が併設され、該支持台６０の上面には一対のレール６１が敷設されている。また、支持台６０の上には、第１台車６２がレール６１に沿って移動可能に設けられていると共に、第２台車６３が第１台車６２の上方であって、当該第１台車６２と直交する方向へ移動可能に設けられている。なお、第１および第２台車６２，６３は、それぞれ図示しないモータにより移動するようになっている。
また、第２台車６３の上には、スプール駆動用モータ６４が設けられており、該モータ６４の駆動軸端にはギヤカップリング６５の一方のリング部６５ａが取付けられている。
【００２３】
一方、スプール２の一端には、ギヤカップリング６５の他方のリング部６５ｂが取付けられており、スプール駆動時はギヤカップリング６５が結合して駆動力を伝達するように構成されている。なお、スプール２には、ローラ６６が回転自在に取付けられており、該ローラ６６はフレーム１上に設けられたレール６７上を転がるようになっている。したがって、スプール２は、図示省略のスプール搬送具１０によってレール６７上を移動するように構成されている。
また、第１台車６２は、スプール駆動中、スプール搬送具１０と連動して移動し、スプール２とモータ６４の軸芯とが一致するように位置制御されている。
【００２４】
本実施形態の巻取装置において、巻取ロール４が巻き取りを完了し、図４の退避位置Ｐ３から取外し位置Ｐ４に移動するときには、第２台車６３が後退し、従って、モータ６４も図６および図７で示す鎖線の如く後退して、ギヤカップリング６５の結合が外れる。そして、第１台車６２は、新たに巻き取りを開始したスプール位置に移動し、その駆動を行う。
巻取ロール４が図４の退避位置Ｐ３に来たとき、巻取ロール４の回転を止めるべくブレーキを掛ける。ブレーキの掛け方には種々あるが、一つはモータ６４に回生制動を掛ける方法がある。また、図示のような機械的制動機構を用いる方法もある。すなわち、本実施形態では、第２台車６３上にエアまたは油圧シリンダ６８が設けられ、該シリンダ６８の先端にブレーキパッド６９が設けられており、このブレーキパッド６９によってギヤカップリング６５の外周にブレーキ力が作用するようになっている。
したがって、巻取ロール４と支持ドラム５とが離れる際、ブレーキパッド６９によりギヤカップリング６５を介してスプール２にブレーキを掛けると、回転が停止するまで巻取ロール４は、押え部材たる第２実施形態の押え板３３あるいは第３実施形態のロール５１によって押えられることになる。
【００２５】
以上、本発明の実施の形態につき述べたが、本発明は既述の実施の形態に限定されるものではなく、本発明の技術的思想に基づいて各種の変形および変更が可能である。
【００２６】
【発明の効果】
上述の如く、本発明に係るウェブ巻取装置は、架台上に支持されたスプールに紙を巻き取るに際し、該スプール上の巻取ロールに当接して紙をニップする支持ドラムと、巻替え時に前記ニップ部より上流側で紙を切断する切断手段を備えており、前記巻替え時に、前記巻取ロールの表面に向けて液体を噴霧する手段を設けているので、枠替え時に、支持ドラムからのニップ圧を掛けられないときでも、巻取ロールに紙を固く均一に巻くことが可能となり、端面が揃った高品質の巻取ロールを得ることができる。
また、本発明に係るウェブ巻取装置は、架台上に支持されたスプールに紙を巻き取るに際し、該スプール上の巻取ロールに当接して紙をニップする支持ドラムと、巻替え時に前記ニップ部より上流側で紙を切断する切断手段を備えており、前記巻替え時に、前記支持ドラムから離れる前記巻取ロールの表面を押える押え部材を設けているので、枠替え時に、支持ドラムからのニップ圧を掛けられないときでも、巻取ロールに紙を固く均一に巻くことが可能となる上、巻取ロールの移動中に紙端が巻ほぐれることもなくなり、端面が揃った高品質の巻取ロールを得ることができる。
さらに、本発明に係るウェブ巻取装置は、架台上に支持されたスプールに紙を巻き取るに際し、該スプール上の巻取ロールに当接して紙をニップする支持ドラムと、巻替え時に前記ニップ部より上流側で紙を切断する切断手段を備えており、前記巻替え時に、前記巻取ロールと前記支持ドラムとが離れる際、前記スプールにブレーキを掛けて回転が停止するまで押え部材により前記巻取ロールを押えるように構成しているので、上記発明と同様の効果が得られる。
また、本発明は、巻替え時に、巻取ロールと前記巻取ロールに当接して紙をニップする支持ドラムとを離した後前記ニップ部より上流側で前記巻取ロールに巻き取られる紙を切断する第１の工程を有するウェブ巻取装置のウェブ巻取方法であって、第１の工程の直前から前記巻取ロールの表面に向けて液体を噴霧する第２の工程を有しているので、上記ウェブ巻取装置と同様の効果が得られる。
さらに、本発明は、巻替え時に、巻取ロールと前記巻取ロールに当接して紙をニップする支持ドラムとを離した後前記ニップ部より上流側で前記巻取ロールに巻き取られる紙を切断する第１の工程を有するウェブ巻取装置のウェブ巻取方法であって、第１の工程の直前から前記巻取ロールの表面に向けて液体を噴霧する第２の工程および該巻取ロールの表面を押える第３の工程を有しているので、上記ウェブ巻取装置と同様の効果が得られる。
【図面の簡単な説明】
【図１】本発明の第１および第２実施形態に係るウェブ巻取装置を示す概念図である。
【図２】図１におけるＡ矢視図である。
【図３】本発明の第３実施形態に係るウェブ巻取装置を概念的に示すもので、（ａ）はその正面図、（ｂ）はその側面図である。
【図４】本発明の第４実施形態に係るウェブ巻取装置を概念的に示す側面図である。
【図５】図４におけるＢ矢視図である。
【図６】本発明の第５実施形態に係るウェブ巻取装置のスプール駆動装置を概念的に示す平面図である。
【図７】図６におけるＡ矢視図である。
【図８】図６におけるＢ−Ｂ線矢視図である。
【図９】従来のウェブ巻取装置を概念的に示す側面図である。
【図１０】図９におけるウェブ巻取装置の枠替え時の状況を示す側面図である。
【符号の説明】
１  フレーム
２  スプール
３  紙
４  巻取ロール
５  支持ドラム
６  枠体
７  軸受
８  油圧シリンダ
９  レール
１０ａ，１０ｂ  スプール搬送具
１１ａ，１１ｂ  ねじ軸
１２ａ，１２ｂ  駆動モータ
１３  空スプール
１４  グースネック
１５  ガイドロール
１６  紙切り装置
２０  パイプ
２１  ノズル
２２  開閉弁
２３  管路
２４  水供給源
３０  床面
３１  ピット
３２  ヒンジ
３３  押え板
３４  シリンダ
４０  レール
４１  車輪
４２  台枠
４３  押えロール
４４  タイミングプーリ
４５  タイミングプーリ
４６  パウダクラッチ
４７  モータ
４８  タイミングベルト
５０  アーム
５１  ロール
６０  支持台
６１  レール
６２  第１台車
６３  第２台車
６４  モータ
６５  ギヤカップリング
６６  ローラ
６７  レール
６８  シリンダ
６９  ブレーキパッド
Ｗ  水（液体）
Ｎ１  巻取ロールと支持ロールとのニップ点
Ｎ２  空スプールと支持ロールとのニップ点
Ｐ１  巻取位置
Ｐ２  空スプール待機位置
Ｐ３  退避位置
Ｐ４  取外し位置
【図１】
0003592916.tif 000002
【図２】
0003592916.tif 000003
【図３】
0003592916.tif 000004
【図４】
0003592916.tif 000005
【図５】
0003592916.tif 000006
【図６】
0003592916.tif 000007
【図７】
0003592916.tif 000008
【図８】
0003592916.tif 000009
【図９】
0003592916.tif 000010
【図１０】
0003592916.tif 000011